(57)【要約】【課題】メディア情報など呼関連情報の交換を、上位アプリケーションが呼制御プロトコルの呼状態を意識することなく行う呼制御方法並びにシステム装置及びプログラムの提供。【解決手段】発信側ノード１の発信側ＳＩＰスタック１２に、発信側上位アプリケーション１１から通知されるメディア情報を受信してＩＮＶＩＴＥメッセージ（接続要求メッセージ）に重畳し、当該ＩＮＶＩＴＥメッセージを着信側ノード２に向け送信する重畳メッセージ送信処理部３ａと、２００ＯＫメッセージ（応答メッセージ）から該当するメディア情報を抽出して発信側上位アプリケーション１１へ通知するメディア情報通知処理部４ａと、メディア情報の受信を表すメディア状態の生成及び消去を行うメディア状態遷移処理部５ａとを具備させてなる特徴的構成手段の採用。【選択図】図１
2005252341.tif 000002
【特許請求の範囲】
【請求項１】
発信側ノードに設定された発信側上位アプリケーションからの指示を受けて、着信側ノードに接続要求メッセージを送信する処理と、当該接続要求メッセージに基づく前記着信側ノードに設定された着信側上位アプリケーションからの指示を受けて、前記発信側ノードに応答メッセージを送信する処理と、当該応答メッセージに基づく前記発信側上位アプリケーションからの指示を受けて、前記着信側ノードに確認メッセージを送信する処理とを順次実施することにより、前記発信側ノードと前記着信側ノードとの間に呼のセッションを確立し、かつ、当該呼セッションの確立に際し、前記発信側上位アプリケーション及び前記着信側上位アプリケーションでそれぞれ生成される呼関連情報を、前記接続要求メッセージ、前記応答メッセージ及び前記確認メッセージの何れに対しても重畳可能に設計された呼制御プロトコルに適用される呼制御方法であって、
前記発信側ノードは、
前記発信側上位アプリケーションから、該当する前記呼関連情報の前記着信側上位アプリケーションに対する送信指示が為されたときに、当該発信側上位アプリケーションから通知される前記呼関連情報を受信して前記接続要求メッセージに重畳し、当該接続要求メッセージを前記着信側ノードに向け送信する第１の重畳メッセージ送信処理と、
この第１の重畳メッセージ送信処理の完了に伴い、前記発信側上位アプリケーションから該当する前記呼関連情報を受信したことを表す第１の受信状態情報を生成する第１の受信状態情報生成処理と、
前記第１の重畳メッセージ送信処理で送信した前記接続要求メッセージに対応して、前記着信側上位アプリケーションから通知される前記呼関連情報が重畳された前記応答メッセージを前記着信側ノードから受信したときに、当該応答メッセージから該当する前記呼関連情報を抽出して前記発信側上位アプリケーションへ通知する第１の呼関連情報通知処理と、
この第１の呼関連情報通知処理の完了に伴い、前記第１の受信状態情報生成処理で生成した前記第１の受信状態情報を消去する第１の受信状態情報消去処理と、を順次実施する、
ことを特徴とする呼制御方法。
【請求項２】
前記着信側ノードは、
前記第１の重畳メッセージ送信処理で送信された前記接続要求メッセージを前記発信側ノードから受信したときに、当該接続要求メッセージから該当する前記呼関連情報を抽出して前記着信側上位アプリケーションへ通知する第２の呼関連情報通知処理と、
この第２の呼関連情報通知処理の完了に伴い、前記発信側ノードから該当する前記呼関連情報を受信したことを表す第２の受信状態情報を生成する第２の受信状態情報生成処理と、
前記第２の呼関連情報通知処理で通知した前記呼関連情報に対応して、前記着信側上位アプリケーションから通知される前記呼関連情報を受信して前記応答メッセージに重畳し、当該応答メッセージを前記発信側ノードに向け送信する第２の重畳メッセージ送信処理と、
この第２の重畳メッセージ送信処理の完了に伴い、前記第２の受信状態情報生成処理で生成した前記第２の受信状態情報を消去する第２の受信状態情報消去処理と、を順次実施する、
ことを特徴とする請求項１に記載の呼制御方法。
【請求項３】
前記着信側ノードは、
前記着信側上位アプリケーションから、該当する前記呼関連情報の前記発信側上位アプリケーションに対する送信指示が為されたときに、当該着信側上位アプリケーションから通知される前記呼関連情報を受信して前記応答メッセージに重畳し、当該応答メッセージを前記発信側ノードに向け送信する第３の重畳メッセージ送信処理と、
この第３の重畳メッセージ送信処理の完了に伴い、前記着信側上位アプリケーションから該当する前記呼関連情報を受信したことを表す第３の受信状態情報を生成する第３の受信状態情報生成処理と、
前記第３の重畳メッセージ送信処理で送信した前記応答メッセージに対応して、前記発信側上位アプリケーションから通知される前記呼関連情報が重畳された前記確認メッセージを前記発信側ノードから受信したときに、当該確認メッセージから該当する前記呼関連情報を抽出して前記着信側上位アプリケーションへ通知する第３の呼関連情報通知処理と、
この第３の呼関連情報通知処理の完了に伴い、前記第３の受信状態情報生成処理で生成した前記第３の受信状態情報を消去する第３の受信状態情報消去処理と、を順次実施する、
ことを特徴とする請求項１又は２に記載の呼制御方法。
【請求項４】
前記発信側ノードは、
前記第３の重畳メッセージ送信処理で送信された前記応答メッセージを前記着信側ノードから受信したときに、当該応答メッセージから該当する前記呼関連情報を抽出して前記発信側上位アプリケーションへ通知する第４の呼関連情報通知処理と、
この第４の呼関連情報通知処理の完了に伴い、前記着信側ノードから該当する前記呼関連情報を受信したことを表す第４の受信状態情報を生成する第４の受信状態情報生成処理と、
前記第４の呼関連情報通知処理で通知した前記呼関連情報に対応して、前記発信側上位アプリケーションから通知される前記呼関連情報を受信して前記確認メッセージに重畳し、当該確認メッセージを前記着信側ノードに向け送信する第４の重畳メッセージ送信処理と、
この第４の重畳メッセージ送信処理の完了に伴い、前記第４の受信状態情報生成処理で生成した前記第４の受信状態情報を消去する第４の受信状態情報消去処理と、を順次実施する、
ことを特徴とする請求項３に記載の呼制御方法。
【請求項５】
前記呼制御プロトコルは、
ＲＦＣ３２６１規定のＳＩＰであり、
前記呼関連情報は、
当該ＳＩＰにおける前記接続要求メッセージ、前記応答メッセージ及び前記確認メッセージにそれぞれ相当するＩＮＶＩＴＥメッセージ、２００番台メッセージ及びＡＣＫメッセージの各メッセージ・ボディに記述されるメディア情報である、
ことを特徴とする請求項１、２、３又は４に記載の呼制御方法。
【請求項６】
前記メディア情報は、
ＲＦＣ２３２７規定のＳＤＰにより前記各メッセージ・ボディに記述される、
ことを特徴とする請求項５に記載の呼制御方法。
【請求項７】
前記呼制御プロトコルは、
ＲＦＣ２７７８規定のＳＩＭＰＬＥ、ＩＴＵ−Ｔ勧告のＨ．３２３プロトコルその他これらに類する呼制御プロトコルを含む、
ことを特徴とする請求項１、２、３、４、５又は６に記載の呼制御方法。
【請求項８】
発信側ノードに設定された発信側上位アプリケーションからの指示を受けて、着信側ノードに接続要求メッセージを送信する手段と、当該接続要求メッセージに基づく前記着信側ノードに設定された着信側上位アプリケーションからの指示を受けて、前記発信側ノードに応答メッセージを送信する手段と、当該応答メッセージに基づく前記発信側上位アプリケーションからの指示を受けて、前記着信側ノードに確認メッセージを送信する手段とにより、前記発信側ノードと前記着信側ノードとの間に呼のセッションを確立する機能手段を具備し、かつ、当該呼セッションの確立に際し、前記発信側上位アプリケーション及び前記着信側上位アプリケーションでそれぞれ生成される呼関連情報を、前記接続要求メッセージ、前記応答メッセージ及び前記確認メッセージの何れに対しても重畳可能に設計された呼制御プロトコル遂行手段と共に機能構築される呼制御システム装置であって、
前記発信側ノードは、
前記発信側上位アプリケーションから、該当する前記呼関連情報の前記着信側上位アプリケーションに対する送信指示が為されたときに、当該発信側上位アプリケーションから通知される前記呼関連情報を受信して前記接続要求メッセージに重畳し、当該接続要求メッセージを前記着信側ノードに向け送信する第１の重畳メッセージ送信手段と、
この第１の重畳メッセージ送信手段による前記接続要求メッセージの送信完了に伴い、前記発信側上位アプリケーションから該当する前記呼関連情報を受信したことを表す第１の受信状態情報を生成する第１の受信状態情報生成手段と、
前記第１の重畳メッセージ送信手段から送信された前記接続要求メッセージに対応して、前記着信側上位アプリケーションから通知される前記呼関連情報が重畳された前記応答メッセージを前記着信側ノードから受信したときに、当該応答メッセージから該当する前記呼関連情報を抽出して前記発信側上位アプリケーションへ通知する第１の呼関連情報通知手段と、
この第１の呼関連情報通知手段による前記呼関連情報の通知完了に伴い、前記第１の受信状態情報生成手段で生成された前記第１の受信状態情報を消去する第１の受信状態情報消去手段と、を具備する、
ことを特徴とする呼制御システム装置。
【請求項９】
前記着信側ノードは、
前記発信側ノードの前記第１の重畳メッセージ送信手段から送信された前記接続要求メッセージを受信したときに、当該接続要求メッセージから該当する前記呼関連情報を抽出して前記着信側上位アプリケーションへ通知する第２の呼関連情報通知手段と、
この第２の呼関連情報通知手段による前記呼関連情報の通知完了に伴い、前記発信側ノードから該当する前記呼関連情報を受信したことを表す第２の受信状態情報を生成する第２の受信状態情報生成手段と、
前記第２の呼関連情報通知手段から通知された前記呼関連情報に対応して、前記着信側上位アプリケーションから通知される前記呼関連情報を受信して前記応答メッセージに重畳し、当該応答メッセージを前記発信側ノードに向け送信する第２の重畳メッセージ送信手段と、
この第２の重畳メッセージ送信手段による前記応答メッセージの送信完了に伴い、前記第２の受信状態情報生成手段で生成された前記第２の受信状態情報を消去する第２の受信状態情報消去手段と、を具備する、
ことを特徴とする請求項８に記載の呼制御システム装置。
【請求項１０】
前記着信側ノードは、
前記着信側上位アプリケーションから、該当する前記呼関連情報の前記発信側上位アプリケーションに対する送信指示が為されたときに、当該着信側上位アプリケーションから通知される前記呼関連情報を受信して前記応答メッセージに重畳し、当該応答メッセージを前記発信側ノードに向け送信する第３の重畳メッセージ送信手段と、
この第３の重畳メッセージ送信手段による前記応答メッセージの送信完了に伴い、前記着信側上位アプリケーションから該当する前記呼関連情報を受信したことを表す第３の受信状態情報を生成する第３の受信状態情報生成手段と、
前記第３の重畳メッセージ送信手段から送信された前記応答メッセージに対応して、前記発信側上位アプリケーションから通知される前記呼関連情報が重畳された前記確認メッセージを前記発信側ノードから受信したときに、当該確認メッセージから該当する前記呼関連情報を抽出して前記着信側上位アプリケーションへ通知する第３の呼関連情報通知手段と、
この第３の呼関連情報通知手段による前記呼関連情報の通知完了に伴い、前記第３の受信状態情報生成手段で生成された前記第３の受信状態情報を消去する第３の受信状態情報消去手段と、を具備する、
ことを特徴とする請求項８又は９に記載の呼制御システム装置。
【請求項１１】
前記発信側ノードは、
前記着信側ノードの前記第３の重畳メッセージ送信手段から送信された前記応答メッセージを受信したときに、当該応答メッセージから該当する前記呼関連情報を抽出して前記発信側上位アプリケーションへ通知する第４の呼関連情報通知手段と、
この第４の呼関連情報通知手段による前記呼関連情報の通知完了に伴い、前記着信側ノードから該当する前記呼関連情報を受信したことを表す第４の受信状態情報を生成する第４の受信状態情報生成手段と、
前記第４の呼関連情報通知手段から通知された前記呼関連情報に対応して、前記発信側上位アプリケーションから通知される前記呼関連情報を受信して前記確認メッセージに重畳し、当該確認メッセージを前記着信側ノードに向け送信する第４の重畳メッセージ送信手段と、
この第４の重畳メッセージ送信手段による前記確認メッセージの送信完了に伴い、前記第４の受信状態情報生成手段で生成された前記第４の受信状態情報を消去する第４の受信状態情報消去手段と、を具備する、
ことを特徴とする請求項１０に記載の呼制御システム装置。
【請求項１２】
前記呼制御プロトコル遂行手段が採用する呼制御プロトコルは、
ＲＦＣ３２６１規定のＳＩＰであり、
前記呼関連情報は、
当該ＳＩＰにおける前記接続要求メッセージ、前記応答メッセージ及び前記確認メッセージにそれぞれ相当するＩＮＶＩＴＥメッセージ、２００番台メッセージ及びＡＣＫメッセージの各メッセージ・ボディに記述されるメディア情報である、
ことを特徴とする請求項８、９、１０又は１１に記載の呼制御システム装置。
【請求項１３】
前記メディア情報は、
ＲＦＣ２３２７規定のＳＤＰにより前記各メッセージ・ボディに記述される、
ことを特徴とする請求項１２に記載の呼制御システム装置。
【請求項１４】
前記呼制御プロトコル遂行手段が採用する呼制御プロトコルは、
ＲＦＣ２７７８規定のＳＩＭＰＬＥ、ＩＴＵ−Ｔ勧告のＨ．３２３プロトコルその他これらに類する呼制御プロトコルを含む、
ことを特徴とする請求項８、９、１０、１１、１２又は１３に記載の呼制御システム装置。
【請求項１５】
発信側ノードに設定された発信側上位アプリケーションからの指示を受けて、着信側ノードに接続要求メッセージを送信する手順と、当該接続要求メッセージに基づく前記着信側ノードに設定された着信側上位アプリケーションからの指示を受けて、前記発信側ノードに応答メッセージを送信する手順と、当該応答メッセージに基づく前記発信側上位アプリケーションからの指示を受けて、前記着信側ノードに確認メッセージを送信する手順とを順次実行することにより、前記発信側ノードと前記着信側ノードとの間に呼のセッションを確立する機能手段を具備し、かつ、当該呼セッションの確立に際し、前記発信側上位アプリケーション及び前記着信側上位アプリケーションでそれぞれ生成される呼関連情報を、前記接続要求メッセージ、前記応答メッセージ及び前記確認メッセージの何れに対しても重畳可能に設計された呼制御プロトコルに導入構成される呼制御プログラムであって、
当該呼制御プログラムは、
前記発信側ノードに、
前記発信側上位アプリケーションから、該当する前記呼関連情報の前記着信側上位アプリケーションに対する送信指示が為されたときに、当該発信側上位アプリケーションから通知される前記呼関連情報を受信させて前記接続要求メッセージに重畳させ、当該接続要求メッセージを前記着信側ノードに向け送信させる第１の重畳メッセージ送信手順と、
この第１の重畳メッセージ送信手順の完了に伴い、前記発信側上位アプリケーションから該当する前記呼関連情報を受信したことを表す第１の受信状態情報を生成させる第１の受信状態情報生成手順と、
前記第１の重畳メッセージ送信手順で送信させた前記接続要求メッセージに対応して、前記着信側上位アプリケーションから通知される前記呼関連情報が重畳された前記応答メッセージを前記着信側ノードから受信したときに、当該応答メッセージから該当する前記呼関連情報を抽出させて前記発信側上位アプリケーションへ通知させる第１の呼関連情報通知手順と、
この第１の呼関連情報通知手順の完了に伴い、前記第１の受信状態情報生成手順で生成させた前記第１の受信状態情報を消去させる第１の受信状態情報消去手順と、を順次実行させる、
ことを特徴とする呼制御プログラム。
【請求項１６】
前記呼制御プログラムは、
前記着信側ノードに、
前記第１の重畳メッセージ送信手順で送信された前記接続要求メッセージを前記発信側ノードから受信したときに、当該接続要求メッセージから該当する前記呼関連情報を抽出させて前記着信側上位アプリケーションへ通知させる第２の呼関連情報通知手順と、
この第２の呼関連情報通知手順の完了に伴い、前記発信側ノードから該当する前記呼関連情報を受信したことを表す第２の受信状態情報を生成させる第２の受信状態情報生成手順と、
前記第２の呼関連情報通知手順で通知させた前記呼関連情報に対応して、前記着信側上位アプリケーションから通知される前記呼関連情報を受信させて前記応答メッセージに重畳させ、当該応答メッセージを前記発信側ノードに向け送信させる第２の重畳メッセージ送信手順と、
この第２の重畳メッセージ送信手順の完了に伴い、前記第２の受信状態情報生成手順で生成させた前記第２の受信状態情報を消去させる第２の受信状態情報消去手順と、を順次実行させる、
ことを特徴とする請求項１５に記載の呼制御プログラム。
【請求項１７】
前記呼制御プログラムは、
前記着信側ノードに、
前記着信側上位アプリケーションから、該当する前記呼関連情報の前記発信側上位アプリケーションに対する送信指示が為されたときに、当該着信側上位アプリケーションから通知される前記呼関連情報を受信させて前記応答メッセージに重畳させ、当該応答メッセージを前記発信側ノードに向け送信させる第３の重畳メッセージ送信手順と、
この第３の重畳メッセージ送信手順の完了に伴い、前記着信側上位アプリケーションから該当する前記呼関連情報を受信したことを表す第３の受信状態情報を生成させる第３の受信状態情報生成手順と、
前記第３の重畳メッセージ送信手順で送信させた前記応答メッセージに対応して、前記発信側上位アプリケーションから通知される前記呼関連情報が重畳された前記確認メッセージを前記発信側ノードから受信したときに、当該確認メッセージから該当する前記呼関連情報を抽出させて前記着信側上位アプリケーションへ通知させる第３の呼関連情報通知手順と、
この第３の呼関連情報通知手順の完了に伴い、前記第３の受信状態情報生成手順で生成させた前記第３の受信状態情報を消去させる第３の受信状態情報消去手順と、を順次実行させる、
ことを特徴とする請求項１５又は１６に記載の呼制御プログラム。
【請求項１８】
前記呼制御プログラムは、
前記発信側ノードに、
前記第３の重畳メッセージ送信手順で送信された前記応答メッセージを前記着信側ノードから受信したときに、当該応答メッセージから該当する前記呼関連情報を抽出させて前記発信側上位アプリケーションへ通知させる第４の呼関連情報通知手順と、
この第４の呼関連情報通知手順の完了に伴い、前記着信側ノードから該当する前記呼関連情報を受信したことを表す第４の受信状態情報を生成させる第４の受信状態情報生成手順と、
前記第４の呼関連情報通知手順で通知させた前記呼関連情報に対応して、前記発信側上位アプリケーションから通知される前記呼関連情報を受信させて前記確認メッセージに重畳させ、当該確認メッセージを前記着信側ノードに向け送信させる第４の重畳メッセージ送信手順と、
この第４の重畳メッセージ送信手順の完了に伴い、前記第４の受信状態情報生成手順で生成させた前記第４の受信状態情報を消去させる第４の受信状態情報消去手順と、を順次実行させる、
ことを特徴とする請求項１７に記載の呼制御プログラム。
【請求項１９】
前記呼制御プロトコルは、
ＲＦＣ３２６１規定のＳＩＰであり、
前記呼関連情報は、
当該ＳＩＰにおける前記接続要求メッセージ、前記応答メッセージ及び前記確認メッセージにそれぞれ相当するＩＮＶＩＴＥメッセージ、２００番台メッセージ及びＡＣＫメッセージの各メッセージ・ボディに記述されるメディア情報である、
ことを特徴とする請求項１５、１６、１７又は１８に記載の呼制御プログラム。
【請求項２０】
前記メディア情報は、
ＲＦＣ２３２７規定のＳＤＰにより前記各メッセージ・ボディに記述される、
ことを特徴とする請求項１９に記載の呼制御プログラム。
【発明の詳細な説明】
【技術分野】
【０００１】
本発明は、呼制御方法並びにシステム装置及びプログラムに関し、詳しくは、発信側ノードに設定された発信側上位アプリケーションからの指示を受けて、着信側ノードに接続要求メッセージを送信する処理と、当該接続要求メッセージに基づく着信側ノードに設定された着信側上位アプリケーションからの指示を受けて、発信側ノードに応答メッセージを送信する処理と、当該応答メッセージに基づく発信側上位アプリケーションからの指示を受けて、着信側ノードに確認メッセージを送信する処理とを順次実施することにより、発信側ノードと着信側ノードとの間に呼のセッションを確立し、かつ、当該呼セッションの確立に際し、発信側上位アプリケーション及び着信側上位アプリケーションでそれぞれ生成される呼関連情報を、要求メッセージ、応答メッセージ及び確認メッセージの何れに対しても重畳可能に設計された呼制御プロトコルに適用される呼制御方法、並びにその実施に直接使用される呼制御システム装置及び呼制御プログラムに係わる。
【背景技術】
【０００２】
メディア・セッションの生成、変更、削除を行う代表的な呼制御プロトコルとして、ＲＦＣ３２６１（ＲＦＣ：Request For Comment）に規定されたＳＩＰ（Session Initiation Protocol）が知られている。
【０００３】
図５は、従来のＳＩＰによる呼制御方法をその機能構成と共に説明するためのシーケンス図である。
【０００４】
同図に示すように、従来のＳＩＰでは、端末などからなる発信側及び着信側の各ノード（発信側ノード及び着信側ノード１及び２）に、それぞれ、双方のノードの間で音声や動画などのメディア・セッションを確立するための上位アプリケーション（発信側及び着信側上位アプリケーション１１及び２１）と、ＳＩＰによる呼制御プロトコルを実装するためのＳＩＰスタック（発信側及び着信側ＳＩＰスタック１２及び２２）とを導入してシステム構築される。
【０００５】
ここで、発信側ＳＩＰスタック１２と着信側ＳＩＰスタック２２とは、メディア・セッションの確立に先立つ呼セッションの確立に際し、以下に示す３つのメッセージのハンド・シェイク、即ち、呼の接続要求を行うＩＮＶＩＴＥメッセージ（接続要求メッセージ）、同ＩＮＶＩＴＥメッセージによる接続要求の正常成功を通知する２００ＯＫメッセージ（２００番台応答メッセージの一つ）、及び上記ＩＮＶＩＴＥメッセージに対する最終応答の受信完了を通知するＡＣＫメッセージ（確認メッセージ）とを用いて通信を行う（ＳＴ２，ＳＴ５，ＳＴ８）。
【０００６】
また、発信側及び着信側上位アプリケーション１１及び２１と発信側及び着信側ＳＩＰスタック１２及び２２との間では、上記各メッセージの送受信が発生する毎に、当該各メッセージの送信に関する指示（i，ii，iii）と、同各メッセージの受信に関する通知（i，ii，iii）とが、所定のタイミングで行われるようになっている（送信指示：ＳＴ１，ＳＴ４，ＳＴ７；受信通知：ＳＴ３，ＳＴ６，ＳＴ９）。
【０００７】
なお、上記ＩＮＶＩＴＥメッセージ、２００ＯＫメッセージ及びＡＣＫメッセージには、何れも、メッセージ・ボディと呼ばれる記述領域が設定されており、このメッセージ・ボディには、セッションを確立しようとするメディアの所在を表すメディア情報を、ＳＤＰ（Session Description Protocol）などのファイル形式により記述することができる。
【０００８】
但し、実際の通信では、発信側ノード１と着信側ノード２との間におけるメディア情報の交換に際し、主にＩＮＶＩＴＥメッセージ及び２００ＯＫメッセージを利用して行う場合が大部分を占め、ＡＣＫメッセージの利用は殆どない。このため、発信側及び着信側上位アプリケーション１１及び１２は、通常、上記ＡＣＫメッセージの内容（メッセージ・ボディ）まで認識する必要はなく、同内容を認識するための処理を省略した設計とされることが多い。
【０００９】
しかし、ＧＳＴＮ（ＧＳＴＮ：General Switched Telephone Network）などとの相互接続や、或いは、第三者呼制御や転送サービスなどにおいて、上記ＡＣＫメッセージに対するメディア情報の重畳利用が想定されるため、当該メディア情報を重畳したＡＣＫメッセージの送受信機能は、相互接続性及び拡張性の面から非常に有用といえる。
【００１０】
この場合、ＡＣＫメッセージの送受信情報を、発信側及び着信側上位アプリケーション１１及び２１と発信側及び着信側ＳＩＰスタック１２及び２２との間で交換する呼制御方法を利用すれば、上記発信側及び着信側上位アプリケーション１１及び２１において、当該ＡＣＫメッセージに対するメディア情報の付加及び読取りが可能となる。
【００１１】
なお、上記ＳＩＰによる呼制御方法（及びその実施に使用される装置）の更なる詳細については、例えば、下記の特許文献１に開示されている。
【特許文献１】特表２００３−５２７７８６号公報
【発明の開示】
【発明が解決しようとする課題】
【００１２】
しかしながら、従来のＳＩＰによる呼制御方法では、前述したように、上記ＡＣＫメッセージの送受信タイミング（指示iii及び通知iii）を、発信側及び着信側上位アプリケーション１１及び２１において計る必要があるため、ＳＩＰを利用するアプリケーションの開発を行うに当たり、当該ＳＩＰに関する高度な知識が必要となるほか、所要の機能をＳＩＰに付加するためのＡＰＩ（Application Programming Interface）の複雑化や、或いは、その開発規模が増大するなどの課題が残されている。
【００１３】
また、同呼制御方法では、何れのメッセージに対してもメディア情報を重畳できる反面、同メッセージを適切なタイミングで送信する必要性から、発信側及び着信側上位アプリケーション１１及び２１は、発信側及び着信側ＳＩＰスタック１２及び２２における呼状態を常に意識する（把握する）必要がある。
【００１４】
ここにおいて、本発明の解決すべき主要な目的は、次のとおりである。
即ち、本発明の第１の目的は、メディア情報などの呼関連情報の交換を、上位アプリケーションが呼制御プロトコルにおける呼状態を意識することなく行うことの可能な呼制御方法並びにシステム装置及びプログラムを提供せんとするものである。
【００１５】
本発明の第２の目的は、所要の呼関連情報の交換を簡易な構成のＡＰＩにより実現する呼制御方法並びにシステム装置及びプログラムを提供せんとするものである。
【００１６】
本発明の他の目的は、明細書、図面、特に特許請求の範囲の各請求項の記載から、自ずと明らかとなろう。
【課題を解決するための手段】
【００１７】
本発明方法においては、発信側上位アプリケーションから通知される呼関連情報を受信して接続要求メッセージに重畳し、当該接続要求メッセージを着信側ノードに向け送信する重畳メッセージ送信処理と、発信側上位アプリケーションから該当する呼関連情報を受信したことを表す受信状態情報を生成する受信状態情報生成処理と、応答メッセージから該当する呼関連情報を抽出して発信側上位アプリケーションへ通知する呼関連情報通知処理と、受信状態情報を消去する第１の受信状態情報消去処理とを、発信側ノードに順次実施させる、という特徴的構成手法を講じる。
【００１８】
本発明システム装置においては、発信側上位アプリケーションから通知される呼関連情報を受信して接続要求メッセージに重畳し、当該接続要求メッセージを着信側ノードに向け送信する重畳メッセージ送信手段と、発信側上位アプリケーションから該当する呼関連情報を受信したことを表す受信状態情報を生成する受信状態情報生成手段と、応答メッセージから該当する呼関連情報を抽出して発信側上位アプリケーションへ通知する第１の呼関連情報通知手段と、受信状態情報を消去する受信状態情報消去手段とを、発信側ノードに具備させる、という特徴的構成手段を講じる。
【００１９】
本発明プログラムにおいては、発信側上位アプリケーションから通知される呼関連情報を受信させて接続要求メッセージに重畳させ、当該接続要求メッセージを着信側ノードに向け送信させる重畳メッセージ送信手順と、発信側上位アプリケーションから該当する呼関連情報を受信したことを表す受信状態情報を生成させる受信状態情報生成手順と、応答メッセージから該当する呼関連情報を抽出させて発信側上位アプリケーションへ通知させる呼関連情報通知手順と、受信状態情報を消去させる受信状態情報消去手順とを、発信側ノードに順次実行させる、という特徴的構成手順を講じる。
【００２０】
さらに、具体的詳細に述べると、当該課題の解決では、本発明が次に列挙する上位概念から下位概念に亙る新規な特徴的構成手法、手段又は手順を採用することにより、前記目的を達成するよう為される。
【００２１】
即ち、本発明方法の第１の特徴は、発信側ノードに設定された発信側上位アプリケーションからの指示を受けて、着信側ノードに接続要求メッセージを送信する処理と、当該接続要求メッセージに基づく前記着信側ノードに設定された着信側上位アプリケーションからの指示を受けて、前記発信側ノードに応答メッセージを送信する処理と、当該応答メッセージに基づく前記発信側上位アプリケーションからの指示を受けて、前記着信側ノードに確認メッセージを送信する処理とを順次実施することにより、前記発信側ノードと前記着信側ノードとの間に呼のセッションを確立し、かつ、当該呼セッションの確立に際し、前記発信側上位アプリケーション及び前記着信側上位アプリケーションでそれぞれ生成される呼関連情報を、前記接続要求メッセージ、前記応答メッセージ及び前記確認メッセージの何れに対しても重畳可能に設計された呼制御プロトコルに適用される呼制御方法であって、前記発信側ノードが、前記発信側上位アプリケーションから、該当する前記呼関連情報の前記着信側上位アプリケーションに対する送信指示が為されたときに、当該発信側上位アプリケーションから通知される前記呼関連情報を受信して前記接続要求メッセージに重畳し、当該接続要求メッセージを前記着信側ノードに向け送信する第１の重畳メッセージ送信処理と、この第１の重畳メッセージ送信処理の完了に伴い、前記発信側上位アプリケーションから該当する前記呼関連情報を受信したことを表す第１の受信状態情報を生成する第１の受信状態情報生成処理と、前記第１の重畳メッセージ送信処理で送信した前記接続要求メッセージに対応して、前記着信側上位アプリケーションから通知される前記呼関連情報が重畳された前記応答メッセージを前記着信側ノードから受信したときに、当該応答メッセージから該当する前記呼関連情報を抽出して前記発信側上位アプリケーションへ通知する第１の呼関連情報通知処理と、この第１の呼関連情報通知処理の完了に伴い、前記第１の受信状態情報生成処理で生成した前記第１の受信状態情報を消去する第１の受信状態情報消去処理とを順次実施してなる、呼制御方法の構成採用にある。
【００２２】
本発明方法の第２の特徴は、上記本発明方法の第１の特徴における前記着信側ノードが、前記第１の重畳メッセージ送信処理で送信された前記接続要求メッセージを前記発信側ノードから受信したときに、当該接続要求メッセージから該当する前記呼関連情報を抽出して前記着信側上位アプリケーションへ通知する第２の呼関連情報通知処理と、この第２の呼関連情報通知処理の完了に伴い、前記発信側ノードから該当する前記呼関連情報を受信したことを表す第２の受信状態情報を生成する第２の受信状態情報生成処理と、前記第２の呼関連情報通知処理で通知した前記呼関連情報に対応して、前記着信側上位アプリケーションから通知される前記呼関連情報を受信して前記応答メッセージに重畳し、当該応答メッセージを前記発信側ノードに向け送信する第２の重畳メッセージ送信処理と、この第２の重畳メッセージ送信処理の完了に伴い、前記第２の受信状態情報生成処理で生成した前記第２の受信状態情報を消去する第２の受信状態情報消去処理とを順次実施してなる、呼制御方法の構成採用にある。
【００２３】
本発明方法の第３の特徴は、上記本発明方法の第１又は第２の特徴における前記着信側ノードが、前記着信側上位アプリケーションから、該当する前記呼関連情報の前記発信側上位アプリケーションに対する送信指示が為されたときに、当該着信側上位アプリケーションから通知される前記呼関連情報を受信して前記応答メッセージに重畳し、当該応答メッセージを前記発信側ノードに向け送信する第３の重畳メッセージ送信処理と、この第３の重畳メッセージ送信処理の完了に伴い、前記着信側上位アプリケーションから該当する前記呼関連情報を受信したことを表す第３の受信状態情報を生成する第３の受信状態情報生成処理と、前記第３の重畳メッセージ送信処理で送信した前記応答メッセージに対応して、前記発信側上位アプリケーションから通知される前記呼関連情報が重畳された前記確認メッセージを前記発信側ノードから受信したときに、当該確認メッセージから該当する前記呼関連情報を抽出して前記着信側上位アプリケーションへ通知する第３の呼関連情報通知処理と、この第３の呼関連情報通知処理の完了に伴い、前記第３の受信状態情報生成処理で生成した前記第３の受信状態情報を消去する第３の受信状態情報消去処理とを順次実施してなる、呼制御方法の構成採用にある。
【００２４】
本発明方法の第４の特徴は、上記本発明方法の第３の特徴における前記発信側ノードが、前記第３の重畳メッセージ送信処理で送信された前記応答メッセージを前記着信側ノードから受信したときに、当該応答メッセージから該当する前記呼関連情報を抽出して前記発信側上位アプリケーションへ通知する第４の呼関連情報通知処理と、この第４の呼関連情報通知処理の完了に伴い、前記着信側ノードから該当する前記呼関連情報を受信したことを表す第４の受信状態情報を生成する第４の受信状態情報生成処理と、前記第４の呼関連情報通知処理で通知した前記呼関連情報に対応して、前記発信側上位アプリケーションから通知される前記呼関連情報を受信して前記確認メッセージに重畳し、当該確認メッセージを前記着信側ノードに向け送信する第４の重畳メッセージ送信処理と、この第４の重畳メッセージ送信処理の完了に伴い、前記第４の受信状態情報生成処理で生成した前記第４の受信状態情報を消去する第４の受信状態情報消去処理とを順次実施してなる、呼制御方法の構成採用にある。
【００２５】
本発明方法の第５の特徴は、上記本発明方法の第１、第２、第３又は第４の特徴における前記呼制御プロトコルが、ＲＦＣ３２６１規定のＳＩＰであり、前記呼関連情報が、当該ＳＩＰにおける前記接続要求メッセージ、前記応答メッセージ及び前記確認メッセージにそれぞれ相当するＩＮＶＩＴＥメッセージ、２００番台メッセージ及びＡＣＫメッセージの各メッセージ・ボディに記述されるメディア情報である、呼制御方法の構成採用にある。
【００２６】
本発明方法の第６の特徴は、上記本発明方法の第５の特徴における前記メディア情報が、ＲＦＣ２３２７規定のＳＤＰにより前記各メッセージ・ボディに記述されてなる、呼制御方法の構成採用にある。
【００２７】
本発明方法の第７の特徴は、上記本発明方法の第１、第２、第３、第４、第５又は第６の特徴における前記呼制御プロトコルが、ＲＦＣ２７７８規定のＳＩＭＰＬＥ、ＩＴＵ−Ｔ勧告のＨ．３２３プロトコルその他これらに類する呼制御プロトコルを含んでなる、呼制御方法の構成採用にある。
【００２８】
一方、本発明システム装置の第１の特徴は、発信側ノードに設定された発信側上位アプリケーションからの指示を受けて、着信側ノードに接続要求メッセージを送信する手段と、当該接続要求メッセージに基づく前記着信側ノードに設定された着信側上位アプリケーションからの指示を受けて、前記発信側ノードに応答メッセージを送信する手段と、当該応答メッセージに基づく前記発信側上位アプリケーションからの指示を受けて、前記着信側ノードに確認メッセージを送信する手段とにより、前記発信側ノードと前記着信側ノードとの間に呼のセッションを確立する機能手段を具備し、かつ、当該呼セッションの確立に際し、前記発信側上位アプリケーション及び前記着信側上位アプリケーションでそれぞれ生成される呼関連情報を、前記接続要求メッセージ、前記応答メッセージ及び前記確認メッセージの何れに対しても重畳可能に設計された呼制御プロトコル遂行手段と共に機能構築される呼制御システム装置であって、前記発信側ノードが、前記発信側上位アプリケーションから、該当する前記呼関連情報の前記着信側上位アプリケーションに対する送信指示が為されたときに、当該発信側上位アプリケーションから通知される前記呼関連情報を受信して前記接続要求メッセージに重畳し、当該接続要求メッセージを前記着信側ノードに向け送信する第１の重畳メッセージ送信手段と、この第１の重畳メッセージ送信手段による前記接続要求メッセージの送信完了に伴い、前記発信側上位アプリケーションから該当する前記呼関連情報を受信したことを表す第１の受信状態情報を生成する第１の受信状態情報生成手段と、前記第１の重畳メッセージ送信手段から送信された前記接続要求メッセージに対応して、前記着信側上位アプリケーションから通知される前記呼関連情報が重畳された前記応答メッセージを前記着信側ノードから受信したときに、当該応答メッセージから該当する前記呼関連情報を抽出して前記発信側上位アプリケーションへ通知する第１の呼関連情報通知手段と、この第１の呼関連情報通知手段による前記呼関連情報の通知完了に伴い、前記第１の受信状態情報生成手段で生成された前記第１の受信状態情報を消去する第１の受信状態情報消去手段とを具備してなる、呼制御システム装置の構成採用にある。
【００２９】
本発明システム装置の第２の特徴は、上記本発明システム装置の第１の特徴における前記着信側ノードが、前記発信側ノードの前記第１の重畳メッセージ送信手段から送信された前記接続要求メッセージを受信したときに、当該接続要求メッセージから該当する前記呼関連情報を抽出して前記着信側上位アプリケーションへ通知する第２の呼関連情報通知手段と、この第２の呼関連情報通知手段による前記呼関連情報の通知完了に伴い、前記発信側ノードから該当する前記呼関連情報を受信したことを表す第２の受信状態情報を生成する第２の受信状態情報生成手段と、前記第２の呼関連情報通知手段から通知された前記呼関連情報に対応して、前記着信側上位アプリケーションから通知される前記呼関連情報を受信して前記応答メッセージに重畳し、当該応答メッセージを前記発信側ノードに向け送信する第２の重畳メッセージ送信手段と、この第２の重畳メッセージ送信手段による前記応答メッセージの送信完了に伴い、前記第２の受信状態情報生成手段で生成された前記第２の受信状態情報を消去する第２の受信状態情報消去手段とを具備してなる、呼制御システム装置の構成採用にある。
【００３０】
本発明システム装置の第３の特徴は、上記本発明システム装置の第１又は第２の特徴における前記着信側ノードが、前記着信側上位アプリケーションから、該当する前記呼関連情報の前記発信側上位アプリケーションに対する送信指示が為されたときに、当該着信側上位アプリケーションから通知される前記呼関連情報を受信して前記応答メッセージに重畳し、当該応答メッセージを前記発信側ノードに向け送信する第３の重畳メッセージ送信手段と、この第３の重畳メッセージ送信手段による前記応答メッセージの送信完了に伴い、前記着信側上位アプリケーションから該当する前記呼関連情報を受信したことを表す第３の受信状態情報を生成する第３の受信状態情報生成手段と、前記第３の重畳メッセージ送信手段から送信された前記応答メッセージに対応して、前記発信側上位アプリケーションから通知される前記呼関連情報が重畳された前記確認メッセージを前記発信側ノードから受信したときに、当該確認メッセージから該当する前記呼関連情報を抽出して前記着信側上位アプリケーションへ通知する第３の呼関連情報通知手段と、この第３の呼関連情報通知手段による前記呼関連情報の通知完了に伴い、前記第３の受信状態情報生成手段で生成された前記第３の受信状態情報を消去する第３の受信状態情報消去手段とを具備してなる、呼制御システム装置の構成採用にある。
【００３１】
本発明システム装置の第４の特徴は、上記本発明システム装置の第３の特徴における前記発信側ノードが、前記着信側ノードの前記第３の重畳メッセージ送信手段から送信された前記応答メッセージを受信したときに、当該応答メッセージから該当する前記呼関連情報を抽出して前記発信側上位アプリケーションへ通知する第４の呼関連情報通知手段と、この第４の呼関連情報通知手段による前記呼関連情報の通知完了に伴い、前記着信側ノードから該当する前記呼関連情報を受信したことを表す第４の受信状態情報を生成する第４の受信状態情報生成手段と、前記第４の呼関連情報通知手段から通知された前記呼関連情報に対応して、前記発信側上位アプリケーションから通知される前記呼関連情報を受信して前記確認メッセージに重畳し、当該確認メッセージを前記着信側ノードに向け送信する第４の重畳メッセージ送信手段と、この第４の重畳メッセージ送信手段による前記確認メッセージの送信完了に伴い、前記第４の受信状態情報生成手段で生成された前記第４の受信状態情報を消去する第４の受信状態情報消去手段とを具備してなる、呼制御システム装置の構成採用にある。
【００３２】
本発明システム装置の第５の特徴は、上記本発明システム装置の第１、第２、第３又は第４の特徴における前記呼制御プロトコル遂行手段が採用する呼制御プロトコルが、ＲＦＣ３２６１規定のＳＩＰであり、前記呼関連情報が、当該ＳＩＰにおける前記接続要求メッセージ、前記応答メッセージ及び前記確認メッセージにそれぞれ相当するＩＮＶＩＴＥメッセージ、２００番台メッセージ及びＡＣＫメッセージの各メッセージ・ボディに記述されるメディア情報である、呼制御システム装置の構成採用にある。
【００３３】
本発明システム装置の第６の特徴は、上記本発明システム装置の第５の特徴における前記メディア情報が、ＲＦＣ２３２７規定のＳＤＰにより前記各メッセージ・ボディに記述されてなる、呼制御システム装置の構成採用にある。
【００３４】
本発明システム装置の第７の特徴は、上記本発明システム装置の第１、第２、第３、第４、第５又は第６の特徴における前記呼制御プロトコル遂行手段が採用する呼制御プロトコルが、ＲＦＣ２７７８規定のＳＩＭＰＬＥ、ＩＴＵ−Ｔ勧告のＨ．３２３プロトコルその他これらに類する呼制御プロトコルを含んでなる、呼制御システム装置の構成採用にある。
【００３５】
他方、本発明プログラムの第１の特徴は、発信側ノードに設定された発信側上位アプリケーションからの指示を受けて、着信側ノードに接続要求メッセージを送信する手順と、当該接続要求メッセージに基づく前記着信側ノードに設定された着信側上位アプリケーションからの指示を受けて、前記発信側ノードに応答メッセージを送信する手順と、当該応答メッセージに基づく前記発信側上位アプリケーションからの指示を受けて、前記着信側ノードに確認メッセージを送信する手順とを順次実行することにより、前記発信側ノードと前記着信側ノードとの間に呼のセッションを確立する機能手段を具備し、かつ、当該呼セッションの確立に際し、前記発信側上位アプリケーション及び前記着信側上位アプリケーションでそれぞれ生成される呼関連情報を、前記接続要求メッセージ、前記応答メッセージ及び前記確認メッセージの何れに対しても重畳可能に設計された呼制御プロトコルに導入構成される呼制御プログラムであって、当該呼制御プログラムが、前記発信側ノードに、前記発信側上位アプリケーションから、該当する前記呼関連情報の前記着信側上位アプリケーションに対する送信指示が為されたときに、当該発信側上位アプリケーションから通知される前記呼関連情報を受信させて前記接続要求メッセージに重畳させ、当該接続要求メッセージを前記着信側ノードに向け送信させる第１の重畳メッセージ送信手順と、この第１の重畳メッセージ送信手順の完了に伴い、前記発信側上位アプリケーションから該当する前記呼関連情報を受信したことを表す第１の受信状態情報を生成させる第１の受信状態情報生成手順と、前記第１の重畳メッセージ送信手順で送信させた前記接続要求メッセージに対応して、前記着信側上位アプリケーションから通知される前記呼関連情報が重畳された前記応答メッセージを前記着信側ノードから受信したときに、当該応答メッセージから該当する前記呼関連情報を抽出させて前記発信側上位アプリケーションへ通知させる第１の呼関連情報通知手順と、この第１の呼関連情報通知手順の完了に伴い、前記第１の受信状態情報生成手順で生成させた前記第１の受信状態情報を消去させる第１の受信状態情報消去手順とを順次実行させてなる、呼制御プログラムの構成採用にある。
【００３６】
本発明プログラムの第２の特徴は、上記本発明プログラムの第１の特徴における前記呼制御プログラムが、前記着信側ノードに、前記第１の重畳メッセージ送信手順で送信された前記接続要求メッセージを前記発信側ノードから受信したときに、当該接続要求メッセージから該当する前記呼関連情報を抽出させて前記着信側上位アプリケーションへ通知させる第２の呼関連情報通知手順と、この第２の呼関連情報通知手順の完了に伴い、前記発信側ノードから該当する前記呼関連情報を受信したことを表す第２の受信状態情報を生成させる第２の受信状態情報生成手順と、前記第２の呼関連情報通知手順で通知させた前記呼関連情報に対応して、前記着信側上位アプリケーションから通知される前記呼関連情報を受信させて前記応答メッセージに重畳させ、当該応答メッセージを前記発信側ノードに向け送信させる第２の重畳メッセージ送信手順と、この第２の重畳メッセージ送信手順の完了に伴い、前記第２の受信状態情報生成手順で生成させた前記第２の受信状態情報を消去させる第２の受信状態情報消去手順とを順次実行させてなる、呼制御プログラムの構成採用にある。
【００３７】
本発明プログラムの第３の特徴は、上記本発明プログラムの第１又は第２の特徴における前記呼制御プログラムが、前記着信側ノードに、前記着信側上位アプリケーションから、該当する前記呼関連情報の前記発信側上位アプリケーションに対する送信指示が為されたときに、当該着信側上位アプリケーションから通知される前記呼関連情報を受信させて前記応答メッセージに重畳させ、当該応答メッセージを前記発信側ノードに向け送信させる第３の重畳メッセージ送信手順と、この第３の重畳メッセージ送信手順の完了に伴い、前記着信側上位アプリケーションから該当する前記呼関連情報を受信したことを表す第３の受信状態情報を生成させる第３の受信状態情報生成手順と、前記第３の重畳メッセージ送信手順で送信させた前記応答メッセージに対応して、前記発信側上位アプリケーションから通知される前記呼関連情報が重畳された前記確認メッセージを前記発信側ノードから受信したときに、当該確認メッセージから該当する前記呼関連情報を抽出させて前記着信側上位アプリケーションへ通知させる第３の呼関連情報通知手順と、この第３の呼関連情報通知手順の完了に伴い、前記第３の受信状態情報生成手順で生成させた前記第３の受信状態情報を消去させる第３の受信状態情報消去手順とを順次実行させてなる、呼制御プログラムの構成採用にある。
【００３８】
本発明プログラムの第４の特徴は、上記本発明プログラムの第３の特徴における前記呼制御プログラムが、前記発信側ノードに、前記第３の重畳メッセージ送信手順で送信された前記応答メッセージを前記着信側ノードから受信したときに、当該応答メッセージから該当する前記呼関連情報を抽出させて前記発信側上位アプリケーションへ通知させる第４の呼関連情報通知手順と、この第４の呼関連情報通知手順の完了に伴い、前記着信側ノードから該当する前記呼関連情報を受信したことを表す第４の受信状態情報を生成させる第４の受信状態情報生成手順と、前記第４の呼関連情報通知手順で通知させた前記呼関連情報に対応して、前記発信側上位アプリケーションから通知される前記呼関連情報を受信させて前記確認メッセージに重畳させ、当該確認メッセージを前記着信側ノードに向け送信させる第４の重畳メッセージ送信手順と、この第４の重畳メッセージ送信手順の完了に伴い、前記第４の受信状態情報生成手順で生成させた前記第４の受信状態情報を消去させる第４の受信状態情報消去手順とを順次実行させてなる、呼制御プログラムの構成採用にある。
【００３９】
本発明プログラムの第５の特徴は、上記本発明プログラムの第１、第２、第３又は第４の特徴における前記呼制御プロトコルが、ＲＦＣ３２６１規定のＳＩＰであり、前記呼関連情報が、当該ＳＩＰにおける前記接続要求メッセージ、前記応答メッセージ及び前記確認メッセージにそれぞれ相当するＩＮＶＩＴＥメッセージ、２００番台メッセージ及びＡＣＫメッセージの各メッセージ・ボディに記述されるメディア情報である、呼制御プログラムの構成採用にある。
【００４０】
本発明プログラムの第６の特徴は、上記本発明プログラムの第５の特徴における前記メディア情報が、ＲＦＣ２３２７規定のＳＤＰにより前記各メッセージ・ボディに記述されてなる、呼制御プログラムの構成採用にある。
【発明の効果】
【００４１】
上記の解決手段により、本発明によれば、呼制御プロトコルにおける呼状態とメディア情報などの呼関連情報に関する状態とを元に、当該呼制御プロトコルのメッセージと呼関連情報との柔軟な組み合せを可能とする抽象化されたＡＰＩが実現されるようになり、これに伴い、呼関連情報の送信指示を適切なメッセージとして対向ノードへ送信することが可能になると共に、その対向ノードから受信したメッセージを適切な呼関連情報として上位アプリケーションに通知することが可能となる。
【００４２】
この結果、所要の呼関連情報の交換を、上位アプリケーションが呼制御プロトコルにおける呼状態を何ら意識することなく行うことが可能となる。これにより、当該上位アプリケーションの他の呼制御プロトコルに対する移植性が飛躍的に向上するほか、プログラム開発の効率化や省力化なども併せて期待できる。
【発明を実施するための最良の形態】
【００４３】
以下、本発明の実施の形態につき、添付図面を参照しつつ、まず、本発明の一装置例を説明し、次いで、当該装置例に基づく第１及び第２の方法例及びプログラム例を順に挙げて説明する。
【００４４】
（装置例）
図１は、本発明の一装置例に係る呼制御システム装置の構成を示す機能ブロック図である。なお、本図及び以降の説明に用いる図面には、便宜上、既に図５に示した各構成要素に対するものと同じ符号を付すものとする。
【００４５】
同図に示すように、本装置例に係る呼制御システム装置αは、従来のＳＩＰによる呼制御方法の適用システムと同様、端末などからなる発信側及び着信側ノード１及び２に、それぞれ、双方のノードの間で音声や動画などのメディア・セッションを確立するための発信側及び着信側上位アプリケーション１１及び２１と、ＳＩＰによる呼制御プロトコルを実装するための発信側及び着信側ＳＩＰスタック１２及び２２（呼制御プロトコル遂行手段）とを有して構成される。
【００４６】
このうち、発信側及び着信側ＳＩＰスタック１２及び２２には、それぞれ、本発明の特徴的構成要素をなす重畳メッセージ送信処理部３ａ及び３ｂと、メディア情報通知処理部４ａ及び４ｂと、メディア状態遷移処理部５ａ及び５ｂとが、所要の機能をＳＩＰに付加するためのＡＰＩとして実装される。
【００４７】
ここで、発信側ＳＩＰスタック１２に実装される重畳メッセージ送信処理部３ａは、発信側上位アプリケーション１１から、該当するメディア情報（呼関連情報）の着信側上位アプリケーション２１に対する送信指示が為されたときに、当該発信側上位アプリケーション１１から通知されるメディア情報を受信してＩＮＶＩＴＥメッセージ（接続要求メッセージ）に重畳し、当該ＩＮＶＩＴＥメッセージを着信側ノード２に向け送信すると共に、メディア情報通知処理部４ａから通知されるメディア情報に対応して、発信側上位アプリケーション１１から通知されるメディア情報を受信してＡＣＫメッセージ（確認メッセージ）に重畳し、当該ＡＣＫメッセージを着信側ノード２に向け送信する機能手段である（第１及び第４の重畳メッセージ送信手段）。
【００４８】
また、着信側ＳＩＰスタック２２における重畳メッセージ送信処理部３ｂは、メディア情報通知処理部４ｂから通知されるメディア情報に対応して、着信側上位アプリケーション２１から通知されるメディア情報を受信して２００ＯＫメッセージ（２００番台応答メッセージの一つ）に重畳し、当該２００ＯＫメッセージを発信側ノード１に向け送信すると共に、着信側上位アプリケーション２１から、該当するメディア情報の発信側上位アプリケーション１１に対する送信指示が為されたときに、当該着信側上位アプリケーション２１から通知されるメディア情報を受信して２００ＯＫメッセージに重畳し、当該２００ＯＫメッセージを発信側ノード１に向け送信する機能手段である（第２及び第３の重畳メッセージ送信手段）。
【００４９】
一方、発信側ＳＩＰスタック１２に実装されるメディア情報通知処理部４ａは、重畳メッセージ送信処理部３ａから送信されるＩＮＶＩＴＥメッセージに対応して、着信側上位アプリケーション２１から通知されるメディア情報が重畳された２００ＯＫメッセージを、着信側ノード２の重畳メッセージ送信処理部３ｂから受信したときに、当該２００ＯＫメッセージから該当するメディア情報を抽出して発信側上位アプリケーション１１へ通知すると共に、着信側ノード２の重畳メッセージ送信処理部３ｂから送信される２００ＯＫメッセージを受信したときに、当該２００ＯＫメッセージから該当するメディア情報を抽出して発信側上位アプリケーション１１へ通知する機能手段である（第１及び第４の呼関連情報通知手段）。
【００５０】
また、着信側ＳＩＰスタック２２におけるメディア情報通知処理部４ｂは、発信側ノード１の重畳メッセージ送信処理部３ａから送信されるＩＮＶＩＴＥメッセージを受信したときに、当該ＩＮＶＩＴＥメッセージから該当するメディア情報を抽出して着信側上位アプリケーション２１へ通知すると共に、重畳メッセージ送信処理部３ｂから送信される２００ＯＫメッセージに対応して、発信側上位アプリケーション１１から通知されるメディア情報が重畳されたＡＣＫメッセージを、発信側ノード１の重畳メッセージ送信処理部３ａから受信したときに、当該ＡＣＫメッセージから該当するメディア情報を抽出して着信側上位アプリケーション２１へ通知する機能手段である（第２及び第３の呼関連情報通知手段）。
【００５１】
他方、発信側ＳＩＰスタック１２に実装されるメディア状態遷移処理部５ａは、重畳メッセージ送信処理部３ａによるＩＮＶＩＴＥメッセージの送信完了、及びメディア情報通知処理部４ａによるメディア情報の通知完了に伴い、それぞれ、発信側上位アプリケーション１１から該当するメディア情報を受信したこと、及び着信側ノード２から該当するメディア情報を受信したことを表す各メディア状態（第１及び第４の受信状態情報）を生成すると共に、メディア情報通知処理部４ａによるメディア情報の通知完了、及び重畳メッセージ送信処理部３ａによるＡＣＫメッセージの送信完了に伴い、上記各メディア状態を消去する機能手段である（第１及び第４の受信状態情報生成／消去手段）。
【００５２】
また、着信側ＳＩＰスタック２２におけるメディア状態遷移処理部５ｂは、メディア情報通知処理部４ｂによるメディア情報の通知完了、及び重畳メッセージ送信処理部３ｂによる２００ＯＫメッセージの送信完了に伴い、それぞれ、発信側ノード１から該当するメディア情報を受信したこと、及び着信側上位アプリケーション２１から該当するメディア情報を受信したことを表す各メディア状態（第２及び第３の受信状態情報）を生成すると共に、重畳メッセージ送信処理部３ｂによる２００ＯＫメッセージの送信完了、及びメディア情報通知処理部４ｂによるメディア情報の通知完了に伴い、上記各メディア状態を消去する機能手段である（第２及び第３の受信状態情報生成／消去手段）。
【００５３】
なお、上記メディア情報は、従来と同様、ＲＦＣ３２６１に規定されたＳＩＰにおけるＩＮＶＩＴＥメッセージ、２００ＯＫメッセージ及びＡＣＫメッセージの各メッセージ・ボディに、ＲＦＣ２３２７に規定されたＳＤＰにより記述される（以下、各方法例及びプログラム例において同じ）。
【００５４】
（第１方法例）
続いて、以上のように構成された呼制御システム装置αにより実施される第１方法例を説明する。
図２は、本発明の第１方法例に係る呼制御方法を説明するためのシーケンス図である。また、図３は、図１に示した発信側及び着信側ＳＩＰスタック１２及び２２における状態遷移図である。
【００５５】
図２に示すように、本第１方法例においては、まず、発信側ノード１の発信側上位アプリケーション１１から、該当するメディア情報の着信側上位アプリケーション２１に対する送信指示が為されたときに（ＳＴ１１）、発信側ＳＩＰスタック１２の重畳メッセージ送信処理部３ａが、当該発信側上位アプリケーション１１から通知されるメディア情報を受信してＩＮＶＩＴＥメッセージに重畳し（ＳＴ１２）、当該ＩＮＶＩＴＥメッセージを着信側ノード２に向け送信することにより（ＳＴ１３）、その処理が開始される。
【００５６】
このとき、発信側ＳＩＰスタック１２のメディア状態遷移処理部５ａは、メディア情報が重畳されたＩＮＶＩＴＥメッセージの送信完了に伴い、発信側上位アプリケーション１１から該当するメディア情報を受信したことを表すメディア状態を生成し（ＳＴ１４）、図３に示すように、当該発信側ＳＩＰスタック１２の内部状態を、初期状態から、メディア情報の受信状態（メディア受信）を伴うＩＮＶＩＴＥ送信状態へと遷移させる（ＳＵ１→ＳＵ２）。
【００５７】
これに対し、着信側ＳＩＰスタック２２のメディア情報通知処理部４ｂは、発信側ＳＩＰスタック１２の重畳メッセージ送信処理部３ａから送信されたＩＮＶＩＴＥメッセージを発信側ノード１から受信したときに、当該ＩＮＶＩＴＥメッセージから該当するメディア情報を抽出して（ＳＴ１５）、同メディア情報を着信側上位アプリケーション２１へ通知する（ＳＴ１６）。
【００５８】
このとき、着信側ＳＩＰスタック２２のメディア状態遷移処理部５ｂは、上記着信側上位アプリケーション２１に対するメディア情報の通知完了に伴い、発信側ノード１から該当するメディア情報を受信したことを表すメディア状態を生成し（ＳＴ１７）、図３に示すように、当該着信側ＳＩＰスタック２２の内部状態を、初期状態から、メディア情報の受信状態（メディア受信）を伴うＩＮＶＩＴＥ受信状態へと遷移させる（ＳＵ１→ＳＵ３）。
【００５９】
次に、着信側ＳＩＰスタック２２の重畳メッセージ送信処理部３ｂは、着信側上位アプリケーション２１から、該当するメディア情報の発信側上位アプリケーション１１に対する送信指示が為されたときに（ＳＴ１８）、当該着信側上位アプリケーション２１から通知されるメディア情報を受信して２００ＯＫメッセージに重畳し（ＳＴ１９）、当該２００ＯＫメッセージを発信側ノード１に向け送信する（ＳＴ２０）。
【００６０】
このとき、着信側ＳＩＰスタック２２のメディア状態遷移処理部５ｂは、メディア情報が重畳された２００ＯＫメッセージの送信完了に伴い、前述のＳＴ１７の処理で生成したメディア状態を消去し（ＳＴ２１）、図３に示すように、当該着信側ＳＩＰスタック２２の内部状態を、メディア情報の受信状態（メディア受信）を伴うＩＮＶＩＴＥ受信状態から、メディア・セッションの確立のための通信状態へと遷移させる（ＳＵ３→ＳＵ４）。
【００６１】
これに対し、発信側ＳＩＰスタック１２のメディア情報通知処理部４ａは、着信側ＳＩＰスタック２２の重畳メッセージ送信処理部３ｂから送信された２００ＯＫメッセージを着信側ノード２から受信したときに、当該２００ＯＫメッセージから該当するメディア情報を抽出して（ＳＴ２２）、同メディア情報を発信側上位アプリケーション１１へ通知し（ＳＴ２３）、さらに、ＡＣＫメッセージを着信側ノード２に向け送信する（ＳＴ２４）。
【００６２】
そして、発信側ＳＩＰスタック１２のメディア状態遷移処理部５ａは、上記発信側上位アプリケーション１１に対するメディア情報の通知完了に伴い、前述のＳＴ１４の処理で生成したメディア状態を消去し（ＳＴ２５）、当該発信側ＳＩＰスタック１２の内部状態を、メディア情報の受信状態（メディア受信）を伴うＩＮＶＩＴＥ送信状態から、メディア・セッションの確立のための通信状態へと遷移させ（ＳＵ３→ＳＵ４）、さらに、発信側又は着信側上位アプリケーション１１又は２１の何れかからメディア・セッションの切断が指示されたときに、その内部状態を、通信状態から初期状態へと遷移させる（ＳＵ４→ＳＵ１）。
【００６３】
（第１プログラム例）
以上の装置例及び第１方法例の説明から明らかなように、本発明における発信側及び着信側ノード１及び２は、共にコンピュータの基本機能を具備しているため、本発明で実現しようとする所要の機能は、ソフトウェア・プログラム（ＡＰＩ）により構成することができる。
【００６４】
即ち、所要の呼制御プログラムを構成するに際しては、発信側ノード１に、（Ａ）発信側上位アプリケーション１１から、該当するメディア情報の着信側上位アプリケーション２１に対する送信指示が為されたときに、当該発信側上位アプリケーション１１から通知されるメディア情報を受信させてＩＮＶＩＴＥメッセージに重畳させ、当該ＩＮＶＩＴＥメッセージを着信側ノード２に向け送信させる手順（ＳＴ１１〜ＳＴ１３に対応）と、（Ｂ）この送信手順の完了に伴い、発信側上位アプリケーション１１から該当するメディア情報を受信したことを表すメディア状態を生成させる手順（ＳＴ１４に対応）と、（Ｃ）上記送信手順で送信させたＩＮＶＩＴＥメッセージに対応して、着信側上位アプリケーション２１から通知されるメディア情報が重畳された２００ＯＫメッセージを着信側ノード２から受信したときに、当該２００ＯＫメッセージから該当するメディア情報を抽出させて発信側上位アプリケーション１１へ通知させる手順（ＳＴ２２〜ＳＴ２３に対応）と、（Ｄ）この通知手順の完了に伴い、上記生成手順で生成させたメディア状態を消去させる手順（ＳＴ２５に対応）とを順次実行させるための記述を、当該プログラムに具備させればよい。
【００６５】
また、以上の記述に加え、着信側ノード２に、（Ｅ）上記送信手順で送信されたＩＮＶＩＴＥメッセージを発信側ノード１から受信したときに、当該ＩＮＶＩＴＥメッセージから該当するメディア情報を抽出させて着信側上位アプリケーション２１へ通知させる通知手順（ＳＴ１５〜ＳＴ１６に対応）と、（Ｆ）この通知手順の完了に伴い、発信側ノード１から該当するメディア情報を受信したことを表すメディア状態を生成させる生成手順（ＳＴ１７に対応）と、（Ｇ）上記通知手順で通知させたメディア情報に対応して、着信側上位アプリケーション２１から通知されるメディア情報を受信させて２００ＯＫメッセージに重畳させ、当該２００ＯＫメッセージを発信側ノード１に向け送信させる送信手順（ＳＴ１８〜ＳＴ２０に対応）と、（Ｈ）この送信手順の完了に伴い、上記生成手順で生成させたメディア状態を消去させる消去手順（ＳＴ２１に対応）とを順次実行させるための記述を、当該処理プログラムに具備させるとよい。
【００６６】
（第２方法例）
続いて、前述した呼制御システム装置αにより実施される第２方法例について説明する。
図４は、本発明の第２方法例に係る呼制御方法を説明するためのシーケンス図である。なお、本第２方法例の説明に際しても、既に示した図３の状態遷移図を用いるものとする。
【００６７】
図４に示すように、本第２方法例においては、まず、発信側ノード１の発信側上位アプリケーション１１から、着信側上位アプリケーション２１におけるメディア情報の取得要求が為されたときに（ＳＴ３１）、発信側ＳＩＰスタック１２の重畳メッセージ送信処理部３ａが、当該取得要求のみを含む通常のＩＮＶＩＴＥメッセージを着信側ノード２に向け送信し（ＳＴ３２）、さらに、着信側ＳＩＰスタック２２が、当該ＩＮＶＩＴＥメッセージに含まれる上記取得要求を着信側上位アプリケーション２１に通知することにより（ＳＴ３３）、その処理が開始される。
【００６８】
ここで、発信側ＳＩＰスタック１２のメディア状態遷移処理部５ａは、図３に示すように、当該発信側ＳＩＰスタック１２の内部状態を、初期状態から、通常のＩＮＶＩＴＥ送信状態へと遷移させ（ＳＵ１→ＳＵ５）、同様に、着信側ＳＩＰスタック２２のメディア状態遷移処理部５ｂは、図３に示すように、当該着信側ＳＩＰスタック２２の内部状態を、初期状態から、通常のＩＮＶＩＴＥ受信状態へと遷移させる（ＳＵ１→ＳＵ６）。
【００６９】
次に、上記メディア情報の取得要求に対応して、着信側上位アプリケーション２１から該当するメディア情報の発信側上位アプリケーション１１に対する送信指示が為されると（ＳＴ３４）、着信側ＳＩＰスタック２２の重畳メッセージ送信処理部３ｂは、当該着信側上位アプリケーション２１から通知されるメディア情報を受信して２００ＯＫメッセージに重畳し（ＳＴ３５）、当該２００ＯＫメッセージを発信側ノード１に向け送信する（ＳＴ３６）。
【００７０】
このとき、着信側ＳＩＰスタック２２のメディア状態遷移処理部５ｂは、メディア情報が重畳された２００ＯＫメッセージの送信完了に伴い、着信側上位アプリケーション２１から該当するメディア情報を受信したことを表すメディア状態を生成し（ＳＴ３７）、図３に示すように、当該着信側ＳＩＰスタック２２の内部状態を、通常のＩＮＶＩＴＥ受信状態から、メディア情報の受信状態（メディア受信）を伴う２００ＯＫ送信状態へと遷移させる（ＳＵ６→ＳＵ７）。
【００７１】
これに対し、発信側ＳＩＰスタック１２のメディア情報通知処理部４ａは、着信側ＳＩＰスタック２２の重畳メッセージ送信処理部３ｂから送信された２００ＯＫメッセージを着信側ノード２から受信したときに、当該２００ＯＫメッセージから該当するメディア情報を抽出して（ＳＴ３８）、同メディア情報を発信側上位アプリケーション２１へ通知する（ＳＴ３９）。
【００７２】
このとき、発信側ＳＩＰスタック１２のメディア状態遷移処理部５ａは、上記発信側上位アプリケーション１１に対するメディア情報の通知完了に伴い、着信側ノード２から該当するメディア情報を受信したことを表すメディア状態を生成し（ＳＴ４０）、図３に示すように、当該発信側ＳＩＰスタック１２の内部状態を、通常のＩＮＶＩＴＥ送信状態から、メディア情報の受信状態（メディア受信）を伴う２００ＯＫ受信状態へと遷移させる（ＳＵ５→ＳＵ８）。
【００７３】
次に、発信側ＳＩＰスタック１２の重畳メッセージ送信処理部３ａは、発信側上位アプリケーション１１から、該当するメディア情報の着信側上位アプリケーション２１に対する送信指示が為されたときに（ＳＴ４１）、当該発信側上位アプリケーション１１から通知されるメディア情報を受信してＡＣＫメッセージに重畳し（ＳＴ４２）、当該ＡＣＫメッセージを着信側ノード２に向け送信する（ＳＴ４３）。
【００７４】
このとき、発信側ＳＩＰスタック１２のメディア状態遷移処理部５ａは、メディア情報が重畳されたＡＣＫメッセージの送信完了に伴い、前述のＳＴ４０の処理で生成したメディア状態を消去し（ＳＴ４４）、図３に示すように、当該発信側ＳＩＰスタック１２の内部状態を、メディア情報の受信状態（メディア受信）を伴う２００ＯＫ受信状態から、メディア・セッションの確立のための通信状態へと遷移させる（ＳＵ８→ＳＵ４）。
【００７５】
これに対し、着信側ＳＩＰスタック２２のメディア情報通知処理部４ｂは、発信側ＳＩＰスタック１２の重畳メッセージ送信処理部３ａから送信されたＡＣＫメッセージを着信側ノード１から受信したときに、当該ＡＣＫメッセージから該当するメディア情報を抽出して（ＳＴ４５）、同メディア情報を着信側上位アプリケーション２１へ通知する（ＳＴ４６）。
【００７６】
そして、着信側ＳＩＰスタック２２のメディア状態遷移処理部５ｂは、上記着信側上位アプリケーション２１に対するメディア情報の通知完了に伴い、前述のＳＴ３７の処理で生成したメディア状態を消去し（ＳＴ４７）、当該着信側ＳＩＰスタック２２の内部状態を、メディア情報の受信状態（メディア受信）を伴う２００ＯＫ送信状態から、メディア・セッションの確立のための通信状態へと遷移させ（ＳＵ７→ＳＵ４）、さらに、発信側又は着信側上位アプリケーション１１又は２１の何れかからメディア・セッションの切断が指示されたときに、その内部状態を、通信状態から初期状態へと遷移させる（ＳＵ４→ＳＵ１）。
【００７７】
（第２プログラム例）
以上の装置例及び第２方法例の説明から明らかなように、本発明における発信側及び着信側ノード１及び２は、共にコンピュータの基本機能を具備しているため、本発明で実現しようとする所要の機能は、前例と同様にソフトウェア・プログラム（ＡＰＩ）により構成することができる。
【００７８】
即ち、所要の呼制御プログラムを構成するに際しては、着信側ノード２に、（ａ）着信側上位アプリケーション２１から、該当するメディア情報の発信側上位アプリケーション１１に対する送信指示が為されたときに、当該着信側上位アプリケーション２１から通知されるメディア情報を受信させて２００ＯＫメッセージに重畳させ、当該２００ＯＫメッセージを発信側ノード１に向け送信させる送信手順（ＳＴ３４〜ＳＴ３６に対応）と、（ｂ）この送信手順の完了に伴い、着信側上位アプリケーション２１から該当するメディア情報を受信したことを表すメディア状態を生成させる生成手順（ＳＴ３７に対応）と、（ｃ）上記送信手順で送信させた２００ＯＫメッセージに対応して、発信側上位アプリケーション１１から通知されるメディア情報が重畳されたＡＣＫメッセージを発信側ノード１から受信したときに、当該ＡＣＫメッセージから該当するメディア情報を抽出させて着信側上位アプリケーション２１へ通知させる通知手順（ＳＴ４５〜ＳＴ４６に対応）と、（ｄ）この通知手順の完了に伴い、上記生成手順で生成させたメディア状態を消去させる消去手順（ＳＴ４７に対応）とを順次実行させるための記述を、当該プログラムに具備させればよい。
【００７９】
また、以上の記述に加え、発信側ノード１に、（ｅ）上記送信手順で送信された２００ＯＫメッセージを着信側ノード２から受信したときに、当該２００ＯＫメッセージから該当するメディア情報を抽出させて発信側上位アプリケーション１１へ通知させる通知手順（ＳＴ３８〜ＳＴ３９に対応）と、（ｆ）この通知手順の完了に伴い、着信側ノード２から該当するメディア情報を受信したことを表すメディア情報を生成させる生成手順（ＳＴ４０に対応）と、（ｇ）上記通知手順で通知させたメディア情報に対応して、発信側上位アプリケーション１１から通知されるメディア情報を受信させてＡＣＫメッセージに重畳させ、当該ＡＣＫメッセージを着信側ノード２に向け送信させる送信手順（ＳＴ４１〜ＳＴ４３に対応）と、（ｈ）この送信手順の完了に伴い、上記生成手順で生成させたメディア状態を消去させる消去手順（ＳＴ４４に対応）とを順次実行させるための記述を、当該処理プログラムに具備させるとよい。
【００８０】
以上、本発明の実施の形態につき、その一装置例並びに同装置例に基づく第１及び第２方法例及びプログラム例を挙げて説明したが、本発明は、必ずしも上述した手段、手法及び手順にのみ限定されるものではなく、前述した効果を有する範囲内において、適宜、変更実施することが可能なものである。
【００８１】
例えば、本実施形態では、呼制御プロトコルとしてＳＩＰを適用した場合を例に挙げて説明したが、これに代えて、ＲＦＣ２７７８規定のＳＩＭＰＬＥ（SIP for Instant Messaging and Presence Leveraging Extensions）、ＩＴＵ−Ｔ（国際電気通信連合・電気通信標準化セクタ）勧告のＨ．３２３プロトコル、その他これに類する呼制御プロトコルを適用することも可能である。この場合、上述したＩＮＶＩＴＥメッセージ、２００ＯＫメッセージ及びＡＣＫメッセージが、該当するプロトコルで用いられる接続要求メッセージ、応答メッセージ及び確認メッセージに単に置き換わるだけであり、本発明を具現化するための手段、手法及び手順に関して何ら変更を加える必要はない。
【図面の簡単な説明】
【００８２】
【図１】本発明の一装置例に係る呼制御システム装置の構成を示す機能ブロック図である。
【図２】本発明の第１方法例に係る呼制御方法を説明するためのシーケンス図である。
【図３】図１に示した発信側及び着信側ＳＩＰスタックにおける状態遷移図である。
【図４】本発明の第２方法例に係る呼制御方法を説明するためのシーケンス図である。
【図５】従来のＳＩＰによる呼制御方法をその機能構成と共に説明するためのシーケンス図である。
【符号の説明】
【００８３】
α…呼制御システム装置
１…発信側ノード
１１…発信側上位アプリケーション
１２…発信側ＳＩＰスタック
２…着信側ノード
２１…着信側上位アプリケーション
２２…着信側ＳＩＰスタック
３ａ，３ｂ…重畳メッセージ送信処理部
４ａ，４ｂ…メディア情報通知処理部
５ａ，５ｂ…メディア状態遷移処理部
【図１】
2005252341.tif 000003
【図２】
2005252341.tif 000004
【図３】
2005252341.tif 000005
【図４】
2005252341.tif 000006
【図５】
2005252341.tif 000007